(57)【要約】      （修正有）【課題】海底等のエコーの信号レベルの高い物標によるレンジサイドローブを抑圧する。【解決手段】水中探知装置のレンジサイドローブ抑圧部７０は、抑圧範囲設定部７１、抑圧除外範囲設定部７２、抑圧値設定部７３、および抑圧演算部７４を備える。抑圧範囲設定部７１は、パルス圧縮データの各位置の信号レベルに基づいて抑圧範囲を設定する。抑圧除外範囲設定部７２は、レンジサイドローブのピークの包絡線に近似させた抑圧除外範囲設定用の閾値と各位置の信号レベルとを比較して、抑圧除外範囲を設定する。抑圧値設定部７３は、抑圧範囲の信号レベルと抑圧範囲外の信号レベルとの比によってオフセットされ、レンジサイドローブのピークの包絡線に近似させた抑圧値ＳＳを算出する。抑圧演算部７４は、抑圧範囲内の各位置において、パルス圧縮データの信号レベルを抑圧値で抑圧することで、パルス圧縮データに対するレンジサイドローブを抑圧する。【選択図】図２
2014020795.tif 000002
【特許請求の範囲】
【請求項１】
周波数変調した超音波パルス信号の反射エコーから得られる受信信号をパルス圧縮してパルス圧縮信号を生成するパルス圧縮部と、
前記パルス圧縮信号に対してレンジサイドローブ抑圧処理を行って探知データを生成するレンジサイドローブ抑圧部と、を備えた、水中探知装置であって、
前記レンジサイドローブ抑圧部は、
パルス圧縮信号に基づいて抑圧範囲を決定する抑圧範囲設定部と、
前記抑圧範囲よりも深い側の所定範囲の複数の深度位置でのパルス圧縮信号の信号レベルと、前記超音波パルス信号のレンジサイドローブ近似波形とを用いて、除外範囲決定用の閾値を設定し、該除外範囲決定用の閾値と前記パルス圧縮信号の信号レベルとの比較結果によって抑圧除外範囲を決定する抑圧除外範囲設定部と、
前記抑圧範囲内の前記パルス圧縮信号の信号レベルに基づいて抑圧値を決定する抑圧値設定部と、
前記抑圧除外範囲を除外した前記抑圧範囲の前記パルス圧縮信号の信号レベルを前記抑圧値で抑圧する演算を行う抑圧演算部と、を備えた水中探知装置。
【請求項２】
請求項１に記載の水中探知装置であって、
前記抑圧範囲設定部は、
注目位置のパルス圧縮信号の信号レベルがメインローブの信号レベルに基づく第１閾値以上であり、前記注目位置よりも浅い側のパルス圧縮信号の信号レベルが前記第１閾値未満である場合に、前記注目位置を前記抑圧範囲の深い側の端点に設定し、
前記超音波パルス信号から前記抑圧範囲の深度範囲を設定する、水中探知装置。
【請求項３】
請求項２に記載の水中探知装置であって、
前記抑圧範囲設定部は、
前記抑圧範囲内に、前記抑圧範囲の深い側の端点の信号レベルよりも高い信号レベルの位置を検出すると、該検出位置よりも深い側のみを前記抑圧範囲に設定する、水中探知装置。
【請求項４】
請求項１乃至請求項３のいずれかに記載の水中探知装置であって、
前記抑圧除外範囲設定部は、
前記抑圧範囲よりも深い側の所定範囲の前記パルス圧縮信号の信号レベルの代表値から、前記除外範囲決定用の閾値を設定する、水中探知装置。
【請求項５】
請求項４に記載の水中探知装置であって、
前記抑圧除外範囲設定部は、
前記代表値として、前記抑圧範囲よりも深い側の所定範囲の前記パルス圧縮信号の信号レベルのうち、信号レベルが高い方の所定個数の信号レベルの平均値を用いる、水中探知装置。
【請求項６】
請求項１乃至請求項５のいずれかに記載の水中探知装置であって、
前記抑圧値設定部は、
前記抑圧範囲内の前記パルス圧縮信号の信号レベルと前記抑圧範囲の外部の前記パルス圧縮信号の信号レベルとを用いて前記抑圧値を決定する、水中探知装置。
【請求項７】
請求項６に記載の水中探知装置であって、
前記抑圧値設定部は、
前記抑圧範囲内の前記パルス圧縮信号の信号レベルと前記抑圧範囲の外部の前記パルス圧縮信号の信号レベルとの比から抑圧値設定用のオフセット値を設定し、
該オフセット値と前記超音波パルス信号のレンジサイドローブ近似波形とから前記抑圧値を決定する、水中探知装置。
【請求項８】
請求項７に記載の水中探知装置であって、
前記抑圧値設定部は、
前記オフセット値が、前記メインローブに基づく許容最大値を超えた場合に、前記オフセット値を前記許容最大値に設定する、水中探知装置。
【請求項９】
請求項７に記載の水中探知装置であって、
前記抑圧値設定部は、
前記抑圧範囲内の前記パルス圧縮信号の信号レベルが、前記抑圧範囲の外部の前記パルス圧縮信号の信号レベルよりも小さい場合には、１以上の所定のオフセット値に設定する、水中探知装置。
【請求項１０】
請求項１乃至請求項９のいずれかに記載の水中探知装置であって、
前記レンジサイドローブ近似波形は、前記超音波パルス信号に基づく指数関数により設定される、水中探知装置。
【請求項１１】
周波数変調した超音波パルス信号の反射エコーから得られる受信信号をパルス圧縮してパルス圧縮信号を生成するパルス圧縮工程と、
前記パルス圧縮信号に対してレンジサイドローブ抑圧処理を行って探知データを生成するレンジサイドローブ抑圧工程と、を有する、水中探知方法であって、
前記レンジサイドローブ抑圧工程は、
パルス圧縮信号に基づいて抑圧範囲を決定する抑圧範囲設定工程と、
前記抑圧範囲よりも深い側の所定範囲の複数の深度位置でのパルス圧縮信号の信号レベルと、前記超音波パルス信号のレンジサイドローブ近似波形とを用いて、除外範囲決定用の閾値を設定し、該除外範囲決定用の閾値と前記パルス圧縮信号の信号レベルとの比較結果によって抑圧除外範囲を決定する抑圧除外範囲設定工程と、
前記抑圧範囲内の前記パルス圧縮信号の信号レベルに基づいて抑圧値を決定する抑圧値設定工程と、
前記抑圧除外範囲を除外した前記抑圧範囲の前記パルス圧縮信号の信号レベルを前記抑圧値で抑圧する演算を行う抑圧演算工程と、を有する水中探知方法。
【請求項１２】
周波数変調した超音波パルス信号の反射エコーから得られる受信信号をパルス圧縮してパルス圧縮信号を生成するパルス圧縮処理と、
前記パルス圧縮信号に対してレンジサイドローブ抑圧処理を行って探知データを生成するレンジサイドローブ抑圧処理と、をコンピュータに実行させるための水中探知プログラムであって、
前記コンピュータは、
前記レンジサイドローブ抑圧処理として、
パルス圧縮信号に基づいて抑圧範囲を決定する抑圧範囲設定処理と、
前記抑圧範囲よりも深い側の所定範囲の複数の深度位置でのパルス圧縮信号の信号レベルと、前記超音波パルス信号のレンジサイドローブ近似波形とを用いて、除外範囲決定用の閾値を設定し、該除外範囲決定用の閾値と前記パルス圧縮信号の信号レベルとの比較結果によって抑圧除外範囲を決定する抑圧除外範囲設定処理と、
前記抑圧範囲内の前記パルス圧縮信号の信号レベルに基づいて抑圧値を決定する抑圧値設定処理と、
前記抑圧除外範囲を除外した前記抑圧範囲の前記パルス圧縮信号の信号レベルを前記抑圧値で抑圧する演算を行う抑圧演算処理と、を実行する水中探知プログラム。
【発明の詳細な説明】
【技術分野】
【０００１】
本発明は、水中に超音波パルス信号を送信し、魚群のエコーや海底のエコーから水中探知データを生成する水中探知装置に関する。
【背景技術】
【０００２】
水中探知装置の１つである魚群探知機では、より深い深度の魚群を探知できるように、探知距離の向上が要求されている。探知距離を延ばすためには、超音波パルス信号のパルス長（送信パルス長）を長くするとよい。しかしながら、送信パルス長を長くすると、魚群や海底等の物標からの反射エコーも長くなってしまい、水中探知データの距離分解能が低下してしまう。
【０００３】
この距離分解能の低下を抑制する手段として、例えば、特許文献１には、超音波パルス信号を周波数変調し、受信したエコー信号と、送信した超音波パルス信号のレプリカ波形との相関処理等を行うことにより、エコー信号に基づく受信信号をパルス圧縮する手段が記載されている。これにより、受信信号のパルス長が短くなるので、超音波パルス信号のパルス長を長くしても、距離分解能の低下を抑制できる。
【先行技術文献】
【特許文献】
【０００４】
【特許文献１】特開２００５−２４９３９８号公報
【発明の概要】
【発明が解決しようとする課題】
【０００５】
図１４は、パルス圧縮を用いた場合の物標に反射して得られた受信信号の時間波形（深度方向にそった波形）を示す図である。
【０００６】
しかしながら、パルス圧縮を用いた場合、図１４に示すように、物標に反射して得られた受信信号は、当該物標の位置に生じる高いレベルのメインローブを有するとともに、当該メインローブに対して時間方向（深度方向）の前後の位置にレンジサイドローブと呼ばれる偽像が生じる。
【０００７】
特に、海底等の非常にエコー信号のレベルが高い物標によるレンジサイドローブが生じると、当該信号レベルが高い物標の近傍に、信号レベルが低い物標が存在するような水中探知画像になってしまう。これにより、レンジサイドローブによる偽像を小魚の魚群等の探知対象物標と間違ってしまうことがある。また、このレンジサイドローブにより、当該レンジサイドローブの範囲に存在する信号レベルが比較的に高くない物標が現れない探知画像になってしまう。これにより、海底付近の底付き魚群等を探知画像上で視認できなくなってしまう。
【０００８】
本発明の目的は、海底等のエコーの信号レベルの高い物標によるレンジサイドローブを抑圧して、より高精度な探知データを生成する水中探知装置を実現することにある。
【課題を解決するための手段】
【０００９】
この発明は、周波数変調した超音波パルス信号の反射エコーから得られる受信信号をパルス圧縮してパルス圧縮信号を生成するパルス圧縮部と、パルス圧縮信号に対してレンジサイドローブ抑圧処理を行って探知データを生成するレンジサイドローブ抑圧部と、を備えた、水中探知装置に関するものであり、次の特徴を有する。レンジサイドローブ抑圧部は、抑圧範囲設定部、抑圧除外範囲設定部、抑圧値設定部、および、抑圧演算部を備える。抑圧範囲設定部は、パルス圧縮信号に基づいて抑圧範囲を決定する。抑圧除外範囲設定部は、抑圧範囲よりも深い側の所定範囲の複数の深度位置でのパルス圧縮信号の信号レベルと、超音波パルス信号のレンジサイドローブ近似波形とを用いて、除外範囲決定用の閾値を設定する。抑圧除外範囲設定部は、除外範囲決定用の閾値とパルス圧縮信号の信号レベルとの比較結果によって抑圧除外範囲を決定する。抑圧値設定部は、抑圧範囲内のパルス圧縮信号の信号レベルと、抑圧範囲の外部のパルス圧縮信号の信号レベルとを用いて、抑圧値を決定する。抑圧演算部は、抑圧除外範囲を除外した抑圧範囲のパルス圧縮信号の信号レベルを抑圧値で抑圧する演算を行う。
【００１０】
この構成では、抑圧除外範囲を適正に設定でき、当該抑圧除外範囲を含んでいても抑圧範囲を適切に設定できる。これにより、抑圧すべき範囲（レンジサイドローブのみの範囲）で適正にレンジサイドローブの抑圧処理を実行できる。
【００１１】
また、この発明の水中探知装置では、抑圧範囲設定部は、注目位置のパルス圧縮信号の信号レベルがメインローブの信号レベルに基づく第１閾値以上であり、注目位置よりも浅い側のパルス圧縮信号の信号レベルが第１閾値未満である場合に、この注目位置を抑圧範囲の深い側の端点に設定する。抑圧範囲設定部は、超音波パルス信号から抑圧範囲の深度範囲を設定する。
【００１２】
この構成では、抑圧範囲の深い側の端点が、深度方向に並ぶ２つの信号レベルだけで検出でき、抑圧範囲設定処理を簡素化、高速化できる。
【００１３】
また、この発明の水中探知装置では、抑圧範囲設定部は、抑圧範囲内に、抑圧範囲の深い側の端点の信号レベルよりも高い信号レベルの点を検出すると、該検出点よりも深い側のみを抑圧範囲に設定する。
【００１４】
この構成では、設定した探知範囲内に大きな物標（魚群等）が存在しても、当該大きな物標のエコーの範囲は、抑圧範囲から除外される。これにより、レンジサイドローブを抑圧しながら、当該大きな物標のエコーの信号レベルは抑圧されない。
【００１５】
また、この発明の水中探知装置では、抑圧除外範囲設定部は、抑圧範囲よりも深い側の所定範囲のパルス圧縮信号の信号レベルの代表値から、除外範囲決定用の閾値を設定する。
【００１６】
この構成では、パルス圧縮信号の信号レベルに応じて、除外範囲決定用の閾値が設定されるので、抑圧除外範囲を正確に検出することができる。
【００１７】
また、この発明の水中探知装置では、抑圧除外範囲設定部は、代表値として、抑圧範囲よりも深い側の所定範囲のパルス圧縮信号の信号レベルのうち、信号レベルが高い方の所定個数の信号レベルの平均値を用いる。
【００１８】
この構成では、除外範囲決定用の閾値の具体的な設定手段を示しており、この手段を用いることで、レンジサイドローブが抑圧除外範囲に入ることを抑制し、物標のエコー範囲が抑圧除外範囲に確実に入るように、設定することができる。
【００１９】
また、この発明の水中探知装置では、抑圧値設定部は、抑圧範囲内のパルス圧縮信号の信号レベルと抑圧範囲の外部のパルス圧縮信号の信号レベルとを用いて抑圧値を決定する。
【００２０】
この構成では、抑圧範囲内の信号レベルすなわちレンジサイドローブの信号レベルと、抑圧範囲外の信号レベルすなわちノイズレベルとから抑圧値が決定される。これにより、レンジサイドローブを適切に抑圧する抑圧値を設定できる。
【００２１】
また、この発明の水中探知装置では、抑圧値設定部は、抑圧範囲内のパルス圧縮信号の信号レベルと抑圧範囲の外部のパルス圧縮信号の信号レベルとの比から抑圧値設定用のオフセット値を設定する。抑圧値設定部は、オフセット値と超音波パルス信号のレンジサイドローブ近似波形とから抑圧値を決定する。
【００２２】
この構成では、受信状況をレンジサイドローブの形状に応じた抑圧値を設定することができる。これにより、抑圧範囲内のレンジサイドローブを適切に抑圧することができる。
【００２３】
また、この発明の水中探知装置では、抑圧値設定部は、オフセット値が、メインローブに基づく許容最大値を超えた場合に、オフセット値を許容最大値に設定する。
【００２４】
この構成では、抑圧値に上限を設けることができ、これにより、過剰な抑圧処理が行われることを防止できる。
【００２５】
また、この発明の水中探知装置では、抑圧値設定部は、抑圧範囲内のパルス圧縮信号の信号レベルが、抑圧範囲の外部のパルス圧縮信号の信号レベルよりも小さい場合には、１以上の所定のオフセット値に設定する。
【００２６】
この構成では、オフセット値が不要に小さくなることを防止できる。この際、１に近い適正値に設定するとよい。これにより、抑圧値に下限を設けることができ、外部環境ノイズが大きな場合であっても、適切な抑圧値を設定できる。
【００２７】
また、この発明の水中探知装置では、レンジサイドローブ近似波形は、超音波パルス信号に基づく指数関数により設定される。
【００２８】
この構成では、レンジサイドローブ近似波形の具体的な設定例を示しており、指数関数を用いることで適切な近似波形を設定することができる。
【発明の効果】
【００２９】
この発明によれば、エコーレベルの高い物標によるレンジサイドローブのみを抑圧し、高精度な探知データを生成することができる。
【図面の簡単な説明】
【００３０】
【図１】本発明の第１の実施形態に係る水中探知装置１０の構成図である。
【図２】レンジサイドローブ抑圧部７０の構成を示すブロック図である。
【図３】抑圧範囲の設定手段を説明するための波形図である。
【図４】抑圧除外範囲の設定手段を説明するための波形図である。
【図５】抑圧値の設定手段を説明するための波形図である。
【図６】抑圧演算後の深度方向に沿ったパルス圧縮データの信号レベルを示す図（波形図）である。
【図７】本実施形態のレンジサイドローブの抑圧方法を示すフローチャートである。
【図８】抑圧範囲Ｚｏｎｅ（ｓ）の設定フローを示すフローチャートである。
【図９】抑圧除外範囲ＥｘＺｏｎｅ（ｓ）の設定フローを示すフローチャートである。
【図１０】抑圧値ＳＳ（ｉ）の設定フローを示すフローチャートである。
【図１１】抑圧範囲Ｚｏｎｅ（ｓ）の第２設定フローを示すフローチャートである。
【図１２】抑圧範囲Ｚｏｎｅ（ｓ）の第２設定フローを用いた場合の抑圧前と抑圧後の深度方向に沿ったパルス圧縮データの信号レベルを示す図（波形図）である。
【図１３】抑圧値ＳＳ（ｉ）の第２設定フローを示すフローチャートである。
【図１４】パルス圧縮を用いた場合の物標に反射して得られた受信信号の時間波形（深度方向にそった波形）を示す図である。
【発明を実施するための形態】
【００３１】
本発明の第１の実施形態に係る水中探知装置、水中探知方法および水中探知プログラムについて、図を参照して説明する。なお、本実施形態では、水中探知装置として魚群探知機を例に示したが、スキャニングソナー等の他の水中探知装置に対しても、本実施形態の構成等は適用することができる。
【００３２】
図１は本発明の第１実施形態に係る水中探知装置１０の構成図である。水中探知装置１０は、送信部２０、送受切替部３０、ＡＤ変換部４０、パルス圧縮部５０、検波部６０、レンジサイドローブ抑圧部７０、表示処理部８０、および送受波器１００を備える。
【００３３】
送信部２０は、送受波器１００から超音波パルス信号を送信するための駆動信号を生成する。駆動信号は、超音波パルス信号が次の仕様になるように生成される。超音波パルス信号は、所定の搬送波周波数からなり、最大探知距離（最大探知深度）に応じた送信パルス長からなる、搬送波周波数は、パルス区間において所定の周波数範囲内でスイープするように変調されている。
【００３４】
送信部２０は、予め設定された送信周期に基づいて、送受切替部３０を介して駆動信号を送受波器１００へ出力する。
【００３５】
送受波器１００は、例えば船舶の船底に取り付けられている。送受波器１００は、駆動信号によって励振し、超音波パルス信号ＳＴｘを送信する。この際、送受波器１００は、船舶の鉛直下方向を指向性の中心方向とし所定の指向角を有するように、超音波パルス信号ＳＴｘを送信する。
【００３６】
送受波器１００は、超音波パルス信号ＳＴｘが海底９０１や水中の魚（または魚群）９０２に反射したエコー信号ＥＲｘを受信する。送受波器１００は、送受切替部３０を介して受信信号をＡＤ変換部４０へ出力する。
【００３７】
ＡＤ変換部４０は、アナログの受信信号を所定の時間間隔でサンプリングしてデジタルの受信データを生成する。なお、ＡＤ変換部４０の前段には、一般的に受信アンプが配置されている。受信アンプは、受信信号に対して、ＴＶＧ処理等を含む増幅処理を行う。
【００３８】
パルス圧縮部５０は、受信データと超音波パルス信号のレプリカ波形との相互相関処理等を行って、パルス圧縮データ（本発明の「パルス圧縮信号」）を生成して、出力する。検波部６０は、既知の検波方法を用いて、パルス圧縮データを検波し、レンジサイドローブ抑圧部７０へ出力する。
【００３９】
レンジサイドローブ抑圧部７０は、具体的な構成およびレンジサイドローブの抑圧方法は後述するが、パルス圧縮データに含まれるレンジサイドローブを抑圧して、探知データを生成する。表示処理部８０は、探知データの信号レベル（レンジサイドローブ抑圧後のパルス圧縮信号の振幅値に相当する）に基づいて色調や輝度を設定した探知画像を、表示画面に表示する。
【００４０】
次に、レンジサイドローブ抑圧部７０の具体的な構成およびレンジサイドローブの抑圧方法について説明する。図２は、レンジサイドローブ抑圧部７０の構成を示すブロック図である。
【００４１】
レンジサイドローブ抑圧部７０は、抑圧範囲設定部７１、抑圧除外範囲設定部７２、抑圧値設定部７３、および抑圧演算部７４を備える。
【００４２】
抑圧範囲設定部７１は、パルス圧縮データの各深度位置の信号レベルに基づいて、抑圧範囲を設定する。図３は、抑圧範囲の設定手段を説明するための波形図である。図３は、深度方向に沿ったパルス圧縮データの信号レベルを示す図である。
【００４３】
抑圧範囲設定部７１は、パルス圧縮データの各深度位置のデータの信号レベル（振幅レベル）を、深度方向に沿って順次、第１閾値ＴｈＥ１と比較する。第１閾値ＴｈＥ１は、送信する超音波パルス信号が所定深度で大物標（この場合は海底）に反射した場合のパルス圧縮データのメインローブのピークレベルに基づいて設定されている。例えば、このピークレベルが所定のＡ値となるように超音波パルス信号が設定された場合に、当該Ａよりも所定のＢ値減衰した値を第１閾値ＴｈＥ１に設定する。この際、Ｂ値は、設定した海底の位置とＴＶＧのゲイン補正量とを加味して適宜設定すればよい。
【００４４】
抑圧範囲設定部７１は、深度方向のある位置（注目位置（ｎ））における信号レベルＥ（ｎ）が、第１閾値ＴｈＥ１以上であり、注目位置（ｎ）に対して深度の浅い方向に隣り合う位置（ｎ−１）の信号レベルＥ（ｎ−１）が第１閾値ＴｈＥ１未満であることを検出すると、注目位置（ｎ）を抑圧範囲Ｚｏｎｅ（ｓ）の深い側の端点に設定する。
【００４５】
抑圧範囲設定部７１は、検出した注目位置（ｎ）から浅い側へ所定の深度方向範囲を、抑圧範囲Ｚｏｎｅ（ｓ）に設定する。この際、抑圧範囲Ｚｏｎｅ（ｓ）に設定する深度方向範囲は、送信する超音波パルス信号からレンジサイドローブの波形は推定できるので、この推定結果に基づいて設定すればよい。
【００４６】
抑圧範囲設定部７１は、設定した抑圧範囲Ｚｏｎｅ（ｓ）を、抑圧除外範囲設定部７２、抑圧値設定部７３、および抑圧演算部７４に通知する。
【００４７】
抑圧除外範囲設定部７２は、抑圧除外範囲設定用の第２閾値ＴｈＥ２と、各点（ｉ）の信号レベルＥｚ（ｉ）とを比較して、抑圧範囲Ｚｏｎｅ（ｓ）内の抑圧除外範囲ＥｘＺｏｎｅ（ｓ）を設定する。図４は、抑圧除外範囲の設定手段を説明するための波形図である。図４は、深度方向に沿ったパルス圧縮データの信号レベルを示す図である。
【００４８】
抑圧除外範囲設定部７２は、抑圧範囲Ｚｏｎｅ（ｓ）の最も深い位置を基準点として、所定の深度範囲をオフセット決定用の範囲Ｚｏｎｅ（ｒ）を設定する。
【００４９】
抑圧除外範囲設定部７２は、オフセット決定用の範囲Ｚｏｎｅ（ｒ）内の各点（ｉ）の信号レベルＥｚ（ｉ）から所定個数の高い信号レベルＥｚ（ｉ）を抽出し、代表値Ｅｚｒを算出する。例えば、抑圧除外範囲設定部７２は、代表値Ｅｚｒとして平均値を算出する。
【００５０】
抑圧除外範囲設定部７２は、算出した代表値Ｅｚｒから、オフセット設定用の減算値ΔＥｚを減算することで、オフセット値Ｅｏｆｆを算出する。オフセット設定用の減算値ΔＥｚは、例えば、送信する超音波パルス信号の振幅や、メインローブのピークレベルから設定することができる。
【００５１】
抑圧除外範囲設定部７２は、オフセット値Ｅｏｆｆで振幅レベルをシフトさせた所定関数からなる第２閾値ＴｈＥ２を設定する。この際、抑圧除外範囲設定部７２は、所定関数として、例えば、深度方向の位置を底とし、係数を適宜設定した指数関数を用いる。これは、レンジサイドローブが、図１４に示すように、メインローブに近づくにしたがって信号レベルが高くなる傾向にあり、メインローブが近づくほど急激に信号レベルが高くなることを意図して設定されたものである。
【００５２】
このような指数関数を用いることで、レンジサイドローブの信号レベルのピークの包絡線（変化傾向）に近似した第２閾値ＴｈＥ２を設定することができる。なお、指数関数以外でも、深度方向に沿ったレンジサイドローブの信号レベルのピークの包絡線に近似できれば、他の関数であってもよい。
【００５３】
抑圧除外範囲設定部７２は、抑圧範囲Ｚｏｎｅ（Ｓ）内の各点（ｉ）において、パルス圧縮データの信号レベルＥｚ（ｉ）と、第２閾値ＴｈＥ２とを比較する。抑圧除外範囲設定部７２は、パルス圧縮データの信号レベルＥｚ（ｉ）が第２閾値ＴｈＥ２よりも高ければ、当該点（ｉ）を抑圧除外範囲ＥｘＺｏｎｅ（ｓ）に設定する。
【００５４】
このように、レンジサイドローブの波形に近似した第２閾値ＴｈＥ２を設定することで、レンジサイドローブ内に存在する物標のエコーを正確に検出することができ、当該物標のエコーを含む範囲を、確実に抑圧除外範囲ＥｘＺｏｎｅ（ｓ）に設定することができる。この際、例えば、従来行われているように、レンジサイドローブの抑圧範囲Ｚｏｎｅ（ｓ）に対して、所定のオフセットをもって一定の閾値を設定した場合、エコーレベル（信号レベル）の高い物標は検出できたとしても、エコーレベル（信号レベル）の低い物標は検出できず、抑圧範囲Ｚｏｎｅ（ｓ）に含まれてしまう可能性がある。しかしながら、本実施形態のように、レンジサイドローブのピークの包絡線に近似した第２閾値ＴｈＥ２を用いることで、信号レベルに影響されることなく、レンジサイドローブ内の物標を確実に検出することができる。
【００５５】
なお、抑圧除外範囲設定部７２は、検出した点のみでなく、当該点を含む所定の深度範囲を抑圧除外範囲ＥｘＺｏｎｅ（ｓ）に設定してもよい。このように、深度方向に所定の幅を有するように抑圧除外範囲ＥｘＺｏｎｅ（ｓ）を設定することにより、抑圧処理後の波形における抑圧除外範囲ＥｘＺｏｎｅ（ｓ）と抑圧範囲Ｚｏｎｅ（Ｓ）との境界の不連続性を緩和することができる。
【００５６】
抑圧値設定部７３は、抑圧範囲Ｚｏｎｅ（ｓ）内の複数点（ｉ）の信号レベルＥｚ（ｉ）と抑圧範囲Ｚｏｎｅ（ｓ）外の複数点（ｊ）の信号レベルＥｚ（ｊ）とから設定したオフセット値Ｍｏｆｆを用いて、抑圧値ＳＳ（ｉ）を算出する。図５は、抑圧値の設定手段を説明するための波形図である。図５は、深度方向に沿ったパルス圧縮データの信号レベルを示す図である。
【００５７】
抑圧値設定部７３は、抑圧範囲Ｚｏｎｅ（ｓ）内の複数点（ｉ）の信号レベルＥｚ（ｉ）の代表値を算出する。具体的には、抑圧値設定部７３は、抑圧範囲Ｚｏｎｅ（ｓ）内の全ての点の信号レベルＥｚ（ｉ）のうち、信号レベルが最も低い側の所定数の信号レベルＥｚ（ｉ）ｎを抽出する。抑圧値設定部７３は、抽出した複数の信号レベルＥｚ（ｉ）ｎの平均値ＭＭＦ１を代表値として算出する。
【００５８】
抑圧値設定部７３は、抑圧範囲Ｚｏｎｅ（ｓ）外の複数点（ｊ）の信号レベルＥｚ（ｊ）の代表値を算出する。具体的には、抑圧値設定部７３は、抑圧範囲Ｚｏｎｅ（ｓ）よりも浅い側の各点（ｊ）の信号レベルＥｚ（ｊ）のうち、信号レベルが最も低い側の所定数の信号レベルＥｚ（ｊ）ｍを抽出する。抑圧値設定部７３は、抽出した複数の信号レベルＥｚ（ｊ）ｎの平均値ＭＭＦ２を代表値として算出する。
【００５９】
抑圧値設定部７３は、平均値ＭＭＦ１を平均値ＭＭＦ２で除算した値を、オフセット値Ｍｏｆｆとする。
【００６０】
抑圧値設定部７３は、オフセット値Ｍｏｆｆで振幅レベルをシフトさせた所定関数を用いて、抑圧範囲Ｚｏｎｅ（ｓ）の各点（ｉ）における抑圧値ＳＳ（ｉ）を設定する。この際、抑圧除外範囲設定部７２は、上述の第２閾値ＴｈＥ２と同様に、所定関数として、例えば、深度方向の位置を底とし、係数を適宜設定した指数関数を用いる。
【００６１】
このような処理を行うことで、外部環境すなわちノイズの振幅レベル、レンジサイドローブの振幅レベルとから値が設定され、レンジサイドローブのピークの包絡線に近似した特性で値が変化する抑圧値ＳＳ（ｉ）を設定できる。これにより、適切な値および特性の抑圧値ＳＳ（ｉ）を設定することができる。
【００６２】
抑圧演算部７４は、抑圧範囲設定部７１および抑圧除外範囲設定部７２によって設定された抑圧除外範囲ＥｘＺｏｎｅ（ｓ）を除く抑圧範囲Ｚｏｎｅ（ｓ）内の各位置（ｉ）において、パルス圧縮データの信号レベルＥｚ（ｉ）を、抑圧値設定部７３で設定された抑圧値ＳＳ（ｉ）で抑圧演算する。例えば、抑圧演算部７４は、各位置（ｉ）において、信号レベルＥｚ（ｉ）から抑圧値ＳＳ（ｉ）を減算する。
【００６３】
抑圧演算部７４は、抑圧演算を行ったパルス圧縮データを、探知データとして、表示処理部８０へ出力する。
【００６４】
図６は、抑圧演算後の深度方向に沿ったパルス圧縮データの信号レベルを示す図（波形図）である。図６に示すように、上述のような処理を行うことで、レンジサイドローブの信号レベルは抑圧される。さらに、レンジサイドローブの範囲内に存在する物標エコーは抑圧されることなく、元の信号レベルを維持している。このように、本実施形態の構成および処理を用いることにより、レンジサイドローブ内に存在する物標のエコーを抑圧することなく、レンジサイドローブを効果的に抑圧した探知データを生成することができる。
【００６５】
なお、上述の説明では、レンジサイドローブの抑圧処理を各機能部で実現する例を示した。しかしながら、超音波パルス信号ＳＴｘの送信のための駆動信号の生成処理、エコー信号ＥＲｘに基づく受信信号に対するパルス圧縮処理、パルス圧縮信号（パルス圧縮データ）に対するレンジサイドローブの抑圧処理は、プログラム化して記憶手段に記憶しておき、コンピュータで読み出して実行することもできる。
【００６６】
図７は、本実施形態のレンジサイドローブの抑圧方法を示すフローチャートである。
【００６７】
水中探知装置は、周波数変調された超音波パルス信号ＳＴｘを送信するように駆動信号の生成制御を行う（Ｓ１０１）。水中探知装置は、超音波パルス信号ＳＴｘのエコー信号ＥＲｘを受信して、受信信号を生成する（Ｓ１０２）。水中探知装置は、受信信号をパルス圧縮処理して、パルス圧縮データを生成する（Ｓ１０３）。
【００６８】
水中探知装置は、深度方向に沿って、各位置で信号レベルと第１閾値ＴｈＥ１とを比較して、パルス圧縮データのレンジサイドローブのメインローブ側エッジを検出し、抑圧範囲Ｚｏｎｅ（ｓ）を設定する（Ｓ１０４）。より具体的な抑圧範囲Ｚｏｎｅ（ｓ）の設定フローは、図８を用いて後述する。
【００６９】
水中探知装置は、レンジサイドローブの波形に近似した除外範囲検出用の第２閾値ＴｈＥ２を設定し、当該第２閾値ＴｈＥ２と抑圧範囲Ｚｏｎｅ（ｓ）内の各位置の信号レベルとから抑圧除外範囲ＥｘＺｏｎｅ（ｓ）を設定する（Ｓ１０５）。より具体的な抑圧除外範囲ＥｘＺｏｎｅ（ｓ）の設定フローは、図９を用いて後述する。
【００７０】
水中探知装置は、レンジサイドローブの波形に近似した抑圧値ＳＳ（ｉ）を設定する（Ｓ１０６）。より具体的な抑圧値ＳＳ（ｉ）の設定フローは、図１０を用いて後述する。
【００７１】
水中探知装置は、抑圧範囲Ｚｏｎｅ（ｓ）内の各位置において、信号レベルＥ（ｉ）を抑圧値ＳＳ（ｉ）で抑圧することでサイドローブ抑圧演算を行い、探知データを生成する（Ｓ１０７）。
【００７２】
次に、抑圧範囲Ｚｏｎｅ（ｓ）の設定方法について、図８を用いて説明する。図８は、抑圧範囲Ｚｏｎｅ（ｓ）の設定フローを示すフローチャートである。
【００７３】
水中探知装置は、注目位置（ｎ）の信号レベルＥ（ｎ）を取得し、第１閾値ＴｈＥ１と比較する（Ｓ４０１）。なお、第１閾値ＴｈＥ１は、上述の説明のように、超音波パルス信号によるメインローブのピークレベルに基づいて設定されている。
【００７４】
水中探知装置は、注目位置（ｎ）の信号レベルＥ（ｎ）が第１閾値ＴｈＥ１以上であると（Ｓ４０２：ＹＥＳ）、当該注目位置（ｎ）よりも１つ浅い側の信号レベルＥ（ｎ−１）と第１閾値ＴｈＥ１とを比較する（Ｓ４０３）。
【００７５】
なお、水中探知装置は、注目位置（ｎ）の信号レベルＥ（ｎ）が第１閾値ＴｈＥ１未満であると（Ｓ４０２：ＮＯ）、注目位置を１つ深度が深い側に移動させて（Ｓ４１０）、新たな注目位置での信号レベルと第１閾値ＴｈＥ１との比較を行う（Ｓ４０１）。
【００７６】
水中探知装置は、当該注目位置（ｎ）よりも１つ浅い側の信号レベルＥ（ｎ−１）が第１閾値ＴｈＥ１未満であると（Ｓ４０４：ＹＥＳ）、注目位置（ｎ）をレンジサイドローブのメインローブ側の端点位置として検出する（Ｓ４０５）。
【００７７】
水中探知装置は、当該端点を深度が深い側の端点として、浅い側の所定範囲を抑圧範囲Ｚｏｎｅ（ｓ）に設定する（Ｓ４０６）。
【００７８】
このような処理を用いることで、複雑な処理を用いることなく簡素な処理によって、抑圧すべきレンジサイドローブの範囲である抑圧範囲Ｚｏｎｅ（ｓ）を設定することができる。
【００７９】
なお、上述の方法では、注目位置を浅い側から深い側へ順に移動させる例を示したが、深い側から浅い側へ移動させるようにしてもよい。上述のように、抑圧範囲Ｚｏｎｅ（ｓ）は、深い側の端点によって設定される。したがって、深い側から上述の処理を行うことで、処理量を低減することができる。
【００８０】
次に、抑圧除外範囲ＥｘＺｏｎｅ（ｓ）の設定方法について、図９を用いて説明する。図９は、抑圧除外範囲ＥｘＺｏｎｅ（ｓ）の設定フローを示すフローチャートである。
【００８１】
水中探知装置は、上述のように抑圧範囲Ｚｏｎｅ（ｓ）を設定すると、抑圧範囲Ｚｏｎｅ（ｓ）よりも深い側にオフセット決定用の範囲Ｚｏｎｅ（ｒ）を設定する。水中探知装置は、抑圧範囲Ｚｏｎｅ（ｓ）の深度が深い側の端点を基準点として、所定の深度範囲をオフセット決定用の範囲Ｚｏｎｅ（ｒ）を設定する。さらに，具体的には、例えば、水中探知装置は、メインローブのピークを含むように、オフセット決定用の範囲Ｚｏｎｅ（ｒ）を設定する。メインローブのピークは、例えば信号レベルＥｚ（ｉ）の最も高い深度位置から検出することができる。
【００８２】
水中探知装置は、当該オフセット決定用の範囲Ｚｏｎｅ（ｒ）内の各位置（ｉ）の信号レベルＥｚ（ｉ）を取得する。水中探知装置は、複数位置の信号レベルＥｚ（ｉ）をソートし、レベルの最も高い側から所定個数（例えばｎ個）の信号レベルＥｚ（ｉ）ｎを抽出する（Ｓ５０１）。
【００８３】
水中探知装置は、抽出した所定個数ｎの信号レベルＥｚ（ｉ）ｎの代表値Ｅｚｒとして、信号レベルＥｚ（ｉ）ｎの平均値を算出する。水中探知装置は、当該代表値（平均値）Ｅｚから、オフセット設定用の減算値ΔＥｚを減算することで、オフセット値Ｅｏｆｆを算出する。オフセット設定用の減算値ΔＥｚは、例えば、送信する超音波パルス信号の振幅や、メインローブのピークレベルから設定することができる。
【００８４】
水中探知装置は、深度を底とし所定係数が設定された指数関数を用いてサイドローブ近似関数を設定する。水中探知装置は、当該サイドローブ近似関数をオフセット値Ｅｏｆｆでオフセットすることで、各位置の第２閾値ＴｈＥ２を設定する（Ｓ５０２）。これにより、上述の図４に示すような、レンジサイドローブの波形に近似し、レンジサイドローブの振幅レベルよりも所定振幅レベル高い値となる第２閾値ＴｈＥ２を設定することができる。
【００８５】
水中探知装置は、抑圧範囲Ｚｏｎｅ（ｓ）内の各位置（ｉ）において、信号レベルＥｚ（ｉ）と第２閾値ＴｈＥ２とを比較する（Ｓ５０３）。
【００８６】
水中探知装置は、信号レベルＥｚ（ｉ）が第２閾値ＴｈＥ２よりも高ければ（Ｓ５０４：ＹＥＳ）、この位置を抑圧除外範囲ＥｘＺｏｎｅ（ｓ）に設定する（Ｓ５０５）。水中探知装置は、信号レベルＥｚ（ｉ）が第２閾値ＴｈＥ２以下であれば（Ｓ５０４：ＮＯ）、この位置を抑圧除外範囲ＥｘＺｏｎｅ（ｓ）に設定しない。
【００８７】
水中探知装置は、抑圧範囲Ｚｏｎｅ（ｓ）の全ての位置に対して、当該比較処理が終了するまで、継続的に当該比較処理を実行する（Ｓ５０６：ＮＯ→Ｓ５０３）。
【００８８】
水中探知装置は、抑圧範囲Ｚｏｎｅ（ｓ）の全ての位置に対して、当該比較処理が終了すると（Ｓ５０６：ＹＥＳ）、上述の図６に示したフローで設定した抑圧範囲Ｚｏｎｅ（ｓ）から抑圧除外範囲ＥｘＺｏｎｅ（ｓ）を除くようにして、抑圧範囲Ｚｏｎｅ（ｓ）を決定する（Ｓ５０７）。
【００８９】
このような処理を行うことで、レンジサイドローブのピークの包絡線に近似した閾値を設定することができる。このため、抑圧範囲Ｚｏｎｅ（ｓ）内に魚群等の物標が存在していても、当該物標の範囲を検出し、抑圧除外範囲ＥｘＺｏｎｅ（ｓ）に設定することができる。これにより、抑圧範囲Ｚｏｎｅ（ｓ）内に存在する物標を、後述の抑圧処理で抑圧してしまうことを防止できる。
【００９０】
そして、このような処理を行うことで、単純に閾値を一定値にする場合には検出しにくいエコーレベルの低い物標（レンジサイドローブのピークの包絡線よりも少しだけ信号レベルが高い物標）も、より確実に検出して、抑圧除外範囲ＥｘＺｏｎｅ（ｓ）に設定することができる。
【００９１】
なお、このフローでは、検出した位置のみを抑圧除外範囲ＥｘＺｏｎｅ（ｓ）に設定する例を示したが、上述のように、当該検出位置を含む所定の深度範囲を抑圧除外範囲ＥｘＺｏｎｅ（ｓ）に設定してもよい。
【００９２】
次に、抑圧値ＳＳ（ｉ）の設定方法について、図１０を用いて説明する。図１０は、抑圧値ＳＳ（ｉ）の設定フローを示すフローチャートである。
【００９３】
水中探知装置は、上述のように抑圧範囲Ｚｏｎｅ（ｓ）を設定すると、当該抑圧範囲Ｚｏｎｅ（ｓ）内の各位置（ｉ）の信号レベルＥｚ（ｉ）を取得する。水中探知装置は、複数位置の信号レベルＥｚ（ｉ）をソートし、レベルの最も低い側から所定個数（例えばｍ個）の信号レベルＥｚ（ｉ）ｍを抽出する。水中探知装置は、抽出した所定個数ｍの信号レベルＥｚ（ｉ）ｍの代表値として、信号レベルＥｚ（ｉ）ｍの平均値ＭＭＦ１を算出する（Ｓ６０１）。
【００９４】
水中探知装置は、抑圧範囲Ｚｏｎｅ（ｓ）よりも浅い側の各位置（ｊ）の信号レベルＥｚ（ｊ）を取得する。水中探知装置は、複数位置の信号レベルＥｚ（ｊ）をソートし、レベルの最も低い側から所定個数（例えばｍ個）の信号レベルＥｚ（ｊ）ｍを抽出する。水中探知装置は、抽出した所定個数ｍの信号レベルＥｚ（ｊ）ｍの代表値として、信号レベルＥｚ（ｊ）ｍの平均値ＭＭＦ２を算出する（Ｓ６０２）。
【００９５】
なお、Ｓ６０１，Ｓ６０２での抽出数は、上述の抑圧除外範囲ＥｘＺｏｎｅ（ｓ）を設定する場合の抽出数を同じであっても、異なっていてもよい。
【００９６】
水中探知装置は、平均値ＭＭＦ１と平均値ＭＭＦ２とからオフセット値Ｍｏｆｆを算出する（Ｓ６０３）。例えば、具体的には、水中探知装置は、平均値ＭＭＦ１を平均値ＭＭＦ２で除算することによりオフセット値Ｍｏｆｆを算出する。
【００９７】
水中探知装置は、深度を底とし所定係数が設定された指数関数を用いてサイドローブ近似関数を設定する。水中探知装置は、当該サイドローブ近似関数をオフセット値Ｍｏｆｆでオフセットすることで、各位置の抑圧値ＳＳ（ｉ）を設定する（Ｓ６０４）。
【００９８】
このような処理を行うことで、レンジサイドローブのピークの包絡線に近似した抑圧値ＳＳ（ｉ）を、適切な値で設定することができる。
【００９９】
なお、上述の方法では、抑圧範囲Ｚｏｎｅ（ｓ）内に、抑圧範囲Ｚｏｎｅ（ｓ）の深い側の端点位置よりも信号レベルが高い位置が存在しない場合を例に説明したが、このような位置が存在する場合を加味した場合、次の処理を用いるとよい。
【０１００】
図１１は、抑圧範囲Ｚｏｎｅ（ｓ）の第２設定フローを示すフローチャートである。
【０１０１】
前提とする抑圧範囲Ｚｏｎｅ（ｓ）の設定は同じであり、上述の図８のフローと同様のフローにより深度方向に所定範囲の抑圧範囲Ｚｏｎｅ（Ｓ）を設定する（Ｓ４２１）。
【０１０２】
水中探知装置は、抑圧範囲Ｚｏｎｅ（Ｓ）の設定用に検出した端点位置の信号レベルＥ（ｎ）と、抑圧範囲Ｚｏｎｅ（Ｓ）内の各位置の信号レベルＥｚ（ｉ）とを比較する。この際、水中探知装置は、端点位置に近い順に信号レベルの比較を行う。
【０１０３】
水中探知装置は、比較を行った信号レベルＥｚ（ｉ）が端点位置の信号レベルＥ（ｎ）よりも高いことを検出すると（Ｓ４２３：ＹＥＳ）、この位置よりも浅い側の範囲を抑圧範囲Ｚｏｎｅ（Ｓ）から除外する（Ｓ４２４）。そして、この位置よりも浅い側の各位置に対する比較を行わず、この位置よりも深い側の範囲のみを抑圧範囲Ｚｏｎｅ（Ｓ）とするように決定する（Ｓ４２６）。
【０１０４】
水中探知装置は、比較を行った信号レベルＥｚ（ｉ）が端点位置の信号レベルＥ（ｎ）以下であることを検出すると（Ｓ４２３：ＮＯ）、さらに浅い側に隣接する次の位置で同様の比較を行う。ここで、水中探知装置は、比較を行った信号レベルＥｚ（ｉ）が端点位置の信号レベルＥ（ｎ）以下であり続ければ、全ての位置で確認が終了するまで、比較を継続するＳ４２５：ＮＯ→Ｓ４２２）。水中探知装置は、抑圧範囲Ｚｏｎｅ（Ｓ）内における全ての位置で、信号レベルＥｚ（ｉ）が端点位置の信号レベルＥ（ｎ）以下であれば（Ｓ４２５：ＹＥＳ）、図６と同様のフローで設定した抑圧範囲Ｚｏｎｅ（ｓ）をそのまま用いる。
【０１０５】
このような処理を用いることで、抑圧範囲Ｚｏｎｅ（ｓ）内に、大きな魚群等の信号レベルが非常に高い範囲が存在した場合に、当該範囲を抑圧範囲Ｚｏｎｅ（ｓ）から除外することができる。これにより、余分な抑圧除外範囲ＥｘＺｏｎｅ（ｓ）の設定等を行う必要が無く、レンジサイドローブ抑圧処理を簡素化し、高速化することができる。また、このような非常に高い信号レベルの魚群等がレンジサイドローブの範囲内に存在しても、抑圧することなく、探知データ（探知画像上）に残すことができる。
【０１０６】
図１２は抑圧範囲Ｚｏｎｅ（ｓ）の第２設定フローを用いた場合の抑圧前と抑圧後の深度方向に沿ったパルス圧縮データの信号レベルを示す図（波形図）である。
【０１０７】
図１２に示すように、単にレンジサイドローブのメインローブ側の端点位置から浅い側の所定範囲を抑圧範囲Ｚｏｎｅ（ｓ）に設定した場合に、当該抑圧範囲Ｚｏｎｅ（ｓ）内に大物標が存在しても、当該大物標の信号レベルは抑圧されない。そして、当該大物標の範囲が抑圧範囲Ｚｏｎｅ（ｓ）に含まれないので、抑圧演算の範囲が必要最小限に留められ、抑圧演算の高速化が可能になる。
【０１０８】
なお、図１２では、大物標（大魚群等）の浅い側については、特に図示していないが、この大物標の浅い側の範囲にも、同様にレンジサイドローブは発生する。このような範囲についても、上述の処理を適用することができ、適切なレンジサイドローブの抑圧処理を行うことができる。
【０１０９】
また、上述の説明では、抑圧値ＳＳ（ｉ）の設定において、平均値ＭＭＦ１を平均値ＭＭＦ２で除算してオフセット値Ｍｏｆｆを算出する例を示した。この方法では、平均値ＭＭＦ２（抑圧範囲Ｚｏｎｅ（ｓ）よりも浅い側の低レベルエコー平均値（外部環境ノイズの平均値））が、平均値ＭＭＦ１（抑圧範囲Ｚｏｎｅ（ｓ）の低レベルエコーの平均値）よりも小さい場合には、オフセット値Ｍｏｆｆが適切な値に設定される。通常の海況では、このような関係になるので特に問題にはなりにくいが、次の処理を用いることで、より確実に適正なオフセット値Ｍｏｆｆを設定することができる。
【０１１０】
図１３は、抑圧値ＳＳ（ｉ）の第２設定フローを示すフローチャートである。平均値ＭＭＦ１，ＭＭＦ２を算出するステップＳ６０１，Ｓ６０２は、図８と同じであるので説明は省略する。
【０１１１】
水中探知装置は、平均値ＭＭＦ１が平均値ＭＭＦ２よりも大きければ（Ｓ６１１：ＹＥＳ）、平均値ＭＭＦ１を平均値ＭＭＦ２で除算して、オフセット値Ｍｏｆｆ（＝ＭＭＦ１／ＭＭＦ２）を算出する（Ｓ６１２）。
【０１１２】
水中探知装置は、除算によるオフセット値Ｍｏｆｆを算出すると、当該オフセット値Ｍｏｆｆを、予め設定した最大オフセット値Ｍｍａｘと比較する。水中探知装置は、オフセット値Ｍｏｆｆが最大オフセット値Ｍｍａｘ以下であれば（Ｓ６１４：ＮＯ）、当該オフセット値Ｍｏｆｆを、サイドローブ近似関数のオフセットとしてそのまま適用し、抑圧値ＳＳ（ｉ）を設定する（Ｓ６０４）。
【０１１３】
水中探知装置は、オフセット値Ｍｏｆｆが最大オフセット値Ｍｍａｘよりも大きければ（Ｓ６１４：ＹＥＳ）、オフセット値Ｍｏｆｆを最大オフセット値Ｍｍａｘに設定する（Ｓ６１５）。そして、最大オフセット値Ｍｍａｘからなるオフセット値Ｍｏｆｆを、サイドローブ近似関数のオフセットに適用し、抑圧値ＳＳ（ｉ）を設定する（Ｓ６０４）。このように、除算によるオフセット値Ｍｏｆｆが最大オフセット値Ｍｍａｘよりも大きくなる場合に、当該最大オフセット値Ｍｍａｘを適用することで、外部環境ノイズが極小さい場合に、オフセット値が不要に高くなりすぎることを防止できる。また、抑圧範囲Ｚｏｎｅ（ｓ）内に物標が存在して平均値ＭＭＦ１が大きくなっても、オフセット値Ｍｏｆｆを最大オフセット値Ｍｍａｘで制限できるので、オフセット値が不要に高くなりすぎることを防止できる。これにより、適切な抑圧値ＳＳ（ｉ）を設定することができる。
【０１１４】
水中探知装置は、平均値ＭＭＦ１が平均値ＭＭＦ２以下であれば（Ｓ６１１：ＮＯ）、オフセット値Ｍｏｆｆを所定値Ｍｃｃ（Ｍｃｃ≧１）に設定する（Ｓ６１３）。この際、所定値Ｍｃｃは、１に近い所定値に設定するとよい。そして、所定値Ｍｃｃからなるオフセット値Ｍｏｆｆを、サイドローブ近似関数のオフセットに適用し、抑圧値ＳＳ（ｉ）を設定する（Ｓ６０４）。このように、平均値ＭＭＦ１がＭＭＦ２よりも小さな場合にオフセット値Ｍｏｆｆを所定値Ｍｃｃに設定することで、外部環境ノイズが大きな場合であっても、オフセット値Ｍｏｆｆが不要に高くなることを防止できる。これにより、適切な抑圧値ＳＳ（ｉ）を設定することができる。
【０１１５】
なお、上述の説明では、代表値として平均値を用いる例を示したが、中央値、最大値、最小値等の他の統計的算出値を、適宜用いてもよい。
【符号の説明】
【０１１６】
１０：超音波送受信装置、
２０：送信部、
３０：送受切替部、
４０：ＡＤ変換部、
５０：パルス圧縮部、
６０：検波部、
７０：レンジサイドローブ抑圧部、
７１：抑圧範囲設定部、
７２：抑圧除外範囲設定部、
７３：抑圧値設定部、
７４：抑圧演算部、
８０：表示処理部、
１００：送受波器、
９０１：海底、９０２：魚群
【図１】
2014020795.tif 000003
【図２】
2014020795.tif 000004
【図３】
2014020795.tif 000005
【図４】
2014020795.tif 000006
【図５】
2014020795.tif 000007
【図６】
2014020795.tif 000008
【図７】
2014020795.tif 000009
【図８】
2014020795.tif 000010
【図９】
2014020795.tif 000011
【図１０】
2014020795.tif 000012
【図１１】
2014020795.tif 000013
【図１２】
2014020795.tif 000014
【図１３】
2014020795.tif 000015
【図１４】
2014020795.tif 000016